(57)【要約】      （修正有） 【課題】内容物を包装箱に収容しようとした際に上方に立設した上面を構成するフラップが安定し、したがって包装箱に内容物を収容し易いとともに、上面から送り状を取り外し易い包装箱を提供する。【解決手段】前板１ａと後板２ａおよび左右の側板３ａ，４ａを有する四角筒状部と、一対の外フラップ１ｂ，２ｂと、一対の内フラップ３ｂ，４ｂと、底フラップとを備え、外フラップ１ｂ，２ｂおよび内フラップ３ｂ，４ｂから上面が形成され、底フラップから底面が形成されている包装箱１０であって、前板１ａに連接する外フラップ１ｂには剥がし片５が設けてあり、剥がし片５の左右端にある差込片５ａが左右の内フラップ３ｂ，４ｂまで延びており、外フラップ１ｂ，２ｂと内フラップ３ｂ，４ｂが上方に立設した未封緘状態において、差込片５を介して外フラップ１ｂと内フラップ３ｂ，４ｂが繋がっている。【選択図】図２
0003199513.tif 000002
【実用新案登録請求の範囲】
【請求項１】
対向する前板と後板、および対向する左右の側板を有する四角筒状部と、
前板と後板の各上縁に連接する一対の外フラップと、
左右の側板の各上縁に連接する一対の内フラップと、
前板、後板、側板の各下縁に連接する底フラップと、を備え、
一対の外フラップおよび内フラップから上面が形成され、四つの底フラップから底面が形成されている包装箱であって、
前板に連接する一方の外フラップには剥がし片が設けてあり、剥がし片の左右端にある差込片が左右の内フラップまで延びており、
外フラップと内フラップが上方に立設した未封緘状態において、差込片を介して一方の外フラップと左右の内フラップが繋がっている、包装箱。
【請求項２】
左右の側板の各上縁には差込穴が開設されており、
剥がし片のうち差込片のみが剥がされ、一対の内フラップが折り曲げられ、一対の外フラップが折り曲げられて双方の外フラップの先端同士が重ね合わされた状態において、差込片が差込穴に差し込まれて封緘されている、請求項１に記載の包装箱。
【請求項３】
差込片が差込穴に差し込まれて封緘された状態において、送り状の一部が剥がし片の上に貼着されながら、重ね合わされた双方の外フラップに跨るようにして送り状が貼着されている、請求項２に記載の包装箱。
【請求項４】
剥がし片は剥がし始点となる剥がし始点片を有しており、剥がし始点片が前板に設けられている、請求項１〜３のいずれかに記載の包装箱。
【請求項５】
内フラップの端辺のうち、差込片が設けられていない側の端辺がテーパー状に形成されている、請求項１〜４のいずれかに記載の包装箱。
【考案の詳細な説明】
【技術分野】
【０００１】
本考案は、たとえば商品を通信販売する際に適用される包装箱に関する。
【背景技術】
【０００２】
従来の一般的な通信販売用の包装箱を図９〜１１に示している。図９で示す包装箱Ｂは、不図示のブランクを組み付けることで、対向する前板ｗ１と後板ｗ２、および対向する左右の側板ｗ３から構成される四角筒状部と、前板ｗ１、後板ｗ２、各側板ｗ３、ｗ４の各下縁に連接するそれぞれの底フラップ（不図示）同士が組み付けられてなる底面と、上面を構成する一対の外フラップｆ１、ｆ２および一対の内フラップｆ３、ｆ４と、から構成されている。図示例では、一対の外フラップｆ１、ｆ２が前板ｗ１と後板ｗ２の各上縁に連接し、一対の内フラップｆ３、ｆ４が各側板ｗ３、ｗ４の各上縁に連接している。
【０００３】
図９の状態、すなわち、未封緘状態の包装箱Ｂにおいては、一対の外フラップｆ１、ｆ２と一対の内フラップｆ３、ｆ４を図示するように上方に立設させ、商品等の内容物（不図示）を収容しようとした際に、各四つのフラップが安定せず、たとえば図示例のように包装箱の内側に二つの外フラップｆ１、ｆ２が倒れ込んで内容物の収容を妨げるといった課題がある。
【０００４】
内側に倒れ込んだ外フラップｆ１、ｆ２を外側へ折り返しながら包装箱Ｂに内容物を収容した後、図１０で示すように一対の内フラップｆ３、ｆ４を内側に折り曲げ、次いで一方の外フラップｆ１を内側に折り曲げ、他方の外フラップｆ２を折り曲げて（Ｙ方向）、外フラップｆ２の端部の差込片ｆ２’を他方の外フラップｆ１の基部に設けられた差込穴ｆ１’に差し込み、外フラップｆ２の端辺と前板ｗ１の端辺を跨ぐように不図示の封緘テープを貼着して封緘することにより、図１１で示した封緘状態の包装箱Ｂが形成される。
【０００５】
通信販売用の包装箱Ｂにおいては、包装箱Ｂの封緘後、図１１で示すように上面に送り状ｔが貼着され、送り先に搬送されることになる。
【０００６】
受け取り主は包装箱を受領後、包装箱の開封のみならず、送り状の剥がし取りをおこない、包装箱の廃棄をおこなう。この送り状の剥がし取りの際には、包装箱の上面と送り状の間に爪を差し込む動作を繰り返し、送り状を徐々に剥がす方法で送り状の剥がし取りをおこなうのが一般的であるが、この際に、送り状が剥がし難いといった課題があり、さらには、爪を傷付けてしまうといった課題がある。この爪に傷が付くという課題に関しては、昨今、ネイルアートをおこなっている女性が多くなっている中で、送り状の剥がし取りの際に爪に製作されたネイルアートが傷付くことも含まれている。
【０００７】
このように、通信販売用の包装箱においては、内容物を包装箱に収容しようとした際に上方に立設した上面を構成するフラップが安定せず、内側に倒れ込んで内容物の収容を妨げるといった課題や、上面から送り状を剥がし取り難く、剥がし取りの際に爪に傷が付き易いといった課題があり、これらを解消することが当該技術分野において急務の解決課題となっている。
【０００８】
ところで、特許文献１には通販箱の開示がある。この通販箱は、側板と端板とを周方向に稜部を介して連設し、一方の側板から延びる中間フラップにタブを設け、対向する端板から延びる各内フラップにタブ穴を形成し、他方の側板から延びる外フラップの先端側に封緘差込部を設け、中間フラップに差込穴を形成しておき、内フラップに中間フラップを重ね、タブをタブ穴に差し込み、中間フラップに外フラップを重ね、封緘差込部を差込穴に差し込むと封緘状態にロックされ、中間フラップの外フラップに覆われない部分に設けた引裂帯により中間フラップを分割すると、中間フラップの分割部より先端側部分と外フラップとが重なり合った状態で開封されるといった構成を具備するものである。
【０００９】
特許文献１に開示の通販箱によれば、天面両側部に隙間が開かない状態で確実に封緘でき、開封が容易で、材料の使用量を抑制できるとしている。しかしながら、この通販箱を適用した場合でも、上記する課題、すなわち、内容物を包装箱に収容しようとした際に上方に立設した上面を構成するフラップが安定せず、内側に倒れ込んで内容物の収容を妨げるといった課題や、上面から送り状を剥がし取り難く、剥がし取りの際に爪に傷が付き易いといった課題を解決することはできない。
【先行技術文献】
【特許文献】
【００１０】
【特許文献１】特開２０１５−３０５２９号公報
【考案の概要】
【考案が解決しようとする課題】
【００１１】
本考案は上記する問題に鑑みてなされたものであり、内容物を包装箱に収容しようとした際に上方に立設した上面を構成するフラップが安定し、したがって包装箱に内容物を収容し易いとともに、上面から送り状を取り外し易い包装箱を提供することを目的としている。
【課題を解決するための手段】
【００１２】
前記目的を達成すべく、本考案による包装箱は、対向する前板と後板、および対向する左右の側板を有する四角筒状部と、前板と後板の各上縁に連接する一対の外フラップと、左右の側板の各上縁に連接する一対の内フラップと、前板、後板、側板の各下縁に連接する底フラップと、を備え、一対の外フラップおよび内フラップから上面が形成され、四つの底フラップから底面が形成されている包装箱であって、前板に連接する一方の外フラップには剥がし片が設けてあり、剥がし片の左右端にある差込片が左右の内フラップまで延びており、外フラップと内フラップが上方に立設した未封緘状態において、差込片を介して一方の外フラップと左右の内フラップが繋がっているものである。
【００１３】
本考案の包装箱は、一対の外フラップの一方に剥がし片を設けておき、この剥がし片の左右端にある差込片が左右の内フラップまで延びていて、外フラップと内フラップが上方に立設した未封緘状態において、差込片を介して一方の外フラップと左右の内フラップが繋がっている構成を適用したものである。この特徴構成により、ブランクから包装箱を組み付けて上面を構成する四つのフラップを上方に立設させた際に、差込片を介して相互に繋がっている一つの外フラップと二つの内フラップの立設姿勢の安定性が確保され、少なくともこれら三つのフラップの内側への倒れ込みが解消される。
【００１４】
そして、上面を構成する四つのフラップのうち、残る一つの外フラップは他の三つのフラップ（他の外フラップと一対の内フラップ）と差込片を介して繋がっておらず、したがって立設姿勢において内側へ倒れ込む可能性があるものの、倒れ込みの可能性があるフラップがこれ一つのみであることから、この残りのフラップが倒れ込むことなく自立していれば内容物（商品等）の収容に支障は生じないし、仮に内側へ倒れ込んでいる場合には外側に折り返しておくことでやはり内容物の収容に支障は生じない。
【００１５】
ここで、「外フラップと内フラップが上方に立設した未封緘状態において」とは、文字通り、外フラップと内フラップが上方に立設した未封緘状態のみならず、当然にその前のブランク状態をも含む意味である。ブランクにおいて、差込片を介して一方の外フラップと左右の内フラップが繋がっており、その後、包装箱の上面以外を組み付けて商品等を包装箱に収容する状態、すなわち、外フラップと内フラップが上方に立設した状態において、差込片を介して一方の外フラップと左右の内フラップが繋がっている状態が維持され、このことによって各フラップの内側への倒れ込みが解消されるものである。
【００１６】
包装箱の組み付けに当たり、四角筒状部を形成した際に、底面を構成する四つの底フラップも同時に組み付けられる、いわゆるワンタッチ底を有する包装箱が組み付け効率性の観点から好ましい。
【００１７】
また、左右の側板の各上縁には差込穴が開設されており、剥がし片の差込片のみが剥がされ、一対の内フラップが折り曲げられ、一対の外フラップが折り曲げられて双方の外フラップの先端同士が重ね合わされた状態において、差込片が差込穴に差し込まれて封緘される実施の形態を挙げることができる。
【００１８】
このように差込片が差込穴に差し込まれて包装箱が封緘された状態において、送り状の一部が剥がし片の上に貼着されながら、重ね合わされた双方の外フラップに跨るようにして送り状が貼着されている。重ね合わされた双方の外フラップに跨るようにして送り状が貼着され、包装箱が封緘されることから、外フラップ同士を封緘する封緘テープを省略することができる。
【００１９】
送り状の一部が剥がし片の上に貼着されながら、二つの外フラップに跨るようにして送り状が貼着された状態で包装箱が受け取り主に送付されると、受け取り主は、包装箱の上面から送り状を取り外すに当たり、従来のように包装箱の上面と送り状の間に爪を差し込む動作を繰り返して送り状を徐々に剥がす方法ではなくて、まず、剥がし片を外フラップから剥がす。そして、この剥がし片を剥がした勢いで他方の外フラップに貼着されている送り状の一部を剥がすことにより、包装箱の上面から送り状の全部を取り外すことができる。
【００２０】
このように、本実施の形態の包装箱によれば、従来のように爪を使って送り状を徐々に剥がす必要がなく、外フラップから剥がし片を剥がすことで結果的に上面から送り状を取り外せることから、送り状の取り外しも極めて容易であり、かつ取り外しに際して爪を傷付けることもなくなる。
【００２１】
また、剥がし片を剥がした際に、剥がし片の端部にある差込片も差込穴から取り外されることより、剥がし片を剥がすことで包装箱が開封され、内容物の取り出しをおこなうことができる。このように、剥がし片を剥がすことで包装箱の開封がおこなわれることから、この開封に際してカッター等を必要とせず、開封時の安全性も保障される。
【００２２】
また、剥がし片は剥がし始点となる剥がし始点片を有しており、剥がし始点片が前板に設けられているのが好ましい。
【００２３】
組み付け状態の上面でなく、側壁を構成する前板に剥がし片の剥がし始点となる剥がし始点片があることで、包装箱の受け取り主は、この剥がし始点片を押圧して前板から剥がして包装箱の内側に押し込み、剥がし始点片が内側に押し込まれてできた空間に指を入れて指を上方に持ち上げることにより、外フラップから剥がし片を容易に剥がすことができる。
【００２４】
また、内フラップの端辺のうち、差込片が設けられていない側の端辺がテーパー状に形成されているのが好ましい。
【００２５】
より具体的には、内フラップそれぞれの端辺のうち、差込片が設けられていない側の端辺にたとえばテーパーカットを施し、側板側から内フラップの自由端に向かってテーパーが広がるようなテーパー状端辺を形成しておく。このようにテーパー状端辺が内フラップの一方の端辺に設けられていることで、上面を構成するべく内フラップを折り畳み、次に外フラップを折り畳む際に、隣接するフラップ同士が干渉して折り畳みが阻害されるのを解消することができる。
【考案の効果】
【００２６】
以上の説明から理解できるように、本考案の包装箱によれば、内容物を包装箱に収容しようとした際に上方に立設した上面を構成するフラップが安定し、したがってフラップが内側へ倒れて包装箱に内容物を収容するのが妨げられるといった問題が解消され、さらに、上面から送り状を取り外し易く、送り状の取り外しの際に爪を傷付けるといった問題も解消される。
【図面の簡単な説明】
【００２７】
【図１】本考案の包装箱の実施の形態のブランクを示した図である。
【図２】包装箱が組み付けられ、上面を構成する内フラップと外フラップが上方に立設した状態を示した図である。
【図３】内フラップから差込片が取り外された状態を示した図である。
【図４】内フラップが折り曲げられ、剥がし片を具備しない外フラップが折り曲げられ、剥がし片を具備する外フラップが折り曲げられようとしている状態を示した図である。
【図５】剥がし片を具備する外フラップが折り曲げられて差込片が差込穴に差し込まれ、封緘された状態を示した図である。
【図６】送り状の一部が剥がし片の上に貼着されながら、重ね合わされた双方の外フラップに跨るようにして送り状が貼着されている状態を示した図である。
【図７】剥がし片の取り外しに際し、剥がし始点片を押圧して前板の内側に押し込んでいる状態を示した図である。
【図８】外フラップから剥がし片を取り外すとともに、送り状の一部を他の外フラップから取り外した状態を示した図である。
【図９】従来の包装箱が組み付けられ、上面を構成する内フラップと外フラップが上方に立設した状態を示した図である。
【図１０】図９で示す従来の包装箱において、内フラップが折り曲げられ、一方の外フラップが折り曲げられ、他方の外フラップが折り曲げられようとしている状態を示した図である。
【図１１】従来の包装箱の上面に送り状が貼着されている状態を示した図である。
【考案を実施するための形態】
【００２８】
以下、図面を参照して、本考案の包装箱の実施の形態を説明する。なお、図示例において、前板、後板の「前」、「後」は便宜上の用語であり、必ずしも前板が前を向き、後板が後ろを向いているわけでないことは勿論のことである。さらに、図示する包装箱は通信販売用の包装箱であるが、本考案の包装箱が通信販売用の包装箱に限定されないことは勿論のことである。
【００２９】
（包装箱の実施の形態）
図１は本考案の包装箱の実施の形態のブランクを示した図である。また、図２〜５は順に、包装箱がブランク状態から順次組み付けられている状態を示した図であり、図６は送り状の一部が剥がし片の上に貼着されながら、重ね合わされた双方の外フラップに跨るようにして送り状が貼着されている状態を示した図である。また、図７，８はその順に、外フラップから剥がし片が剥がされ、剥がし片と同時に送り状が上面から取り外されることを説明した図である。
【００３０】
図１で示す包装箱１０のブランクは段ボールから形成され、包装箱１０の平面積に比して高さが比較的低い側面を構成する、後板２ａ、側板３ａ、前板１ａ、側板４ａが連接され、後板２ａの上下縁には外フラップ２ｂ、底フラップ２ｃが連接され、側板３ａ、４ａの各上下縁にはそれぞれ、内フラップ３ｂ、４ｂと底フラップ３ｃ、４ｃが連接され、前板１ａの上下縁には外フラップ１ｂ、底フラップ１ｃが連接されてその全体が構成されている。
【００３１】
後板２ａのうち、側板３ａと連接する端辺と反対側の端辺には継代片２ｄが設けられ、前板１ａ、後板２ａ、側板３ａ，４ａが四角筒状に組み付けられた際に、接着剤が塗布された継代片２ｄが側板４ａの内側に接着されることで四角筒状部が形成される。
【００３２】
図１において、前板１ａに連接する外フラップ１ｂには破断線５ｃを介して剥がし片５が形成されており、剥がし片５の左右端の差込片５ａはそれぞれ、左右の内フラップ３ｂ、４ｂまで延び、破断線５ｃを介して内フラップ３ｂ、４ｂの一部を形成している。
【００３３】
一方、剥がし片５の中央には剥がし片５の剥がし始点となる剥がし始点片５ｂが設けられ、この剥がし始点片５ｂは前板１ａまで延び、破断線５ｃを介して前板１ａの一部を形成している。
【００３４】
また、各側板３ａ、４ａの上縁には包装箱１０の組み付けの際に差込片５ａが差し込まれる差込穴６が開設されている。
【００３５】
一方、前板１ａ、後板２ａ、側板３ａ，４ａの各下縁に連接した四つの底フラップ１ｃ、２ｃ、３ｃ、４ｃは、前板１ａ、後板２ａ、側板３ａ，４ａを四角筒状に組み付けた際に、同時に相互組み付けが成される、ワンタッチ底を構成するものである。
【００３６】
そのための構成として、底フラップ１ｃ、２ｃの中央には相互に係合する係合凹部１ｃ”、２ｃ”が設けられ、各係合凹部１ｃ”、２ｃ”から上端に斜め方向に延びる折り曲げ線１ｃ’、２ｃ’が設けられている。組み付けの際には、折り曲げ線１ｃ’、２ｃ’で折り曲げて側方の小片を隣接する底フラップ３ｃ、４ｃの内側に入り込ませながら、各係合凹部１ｃ”、２ｃ”を中央で係合させることにより、ワンタッチ底が形成される。
【００３７】
また、前板１ａから底フラップ１ｃに亘り、さらには後板２ａから底フラップ２ｃに亘り、それぞれ六角形の四辺が破断線となっている留め用破断線８が設けてある。これは、使用済みの包装箱を畳み、その一部を留め用破断線８を破断して留めておくものであり、包装箱の畳まれた状態の保持を可能としている。
【００３８】
また、内フラップ３ｂ、４ｂそれぞれの端辺のうち、差込片５ａが設けられていない側の端辺にはテーパーカットが施され、側板３ａ、４ａ側から内フラップ３ｂ、４ｂの自由端３ｂ”、４ｂ”に向かってテーパーが広がるようなテーパー状端辺３ｂ’、４ｂ’が形成されている。
【００３９】
これらテーパー状端辺３ｂ’、４ｂ’が内フラップ３ｂ、４ｂの一方の端辺に設けられていることで、上面を構成するべく内フラップ３ｂ、４ｂを折り曲げ、次に外フラップ２ｂ、１ｂを折り曲げる際に隣接するフラップ同士が干渉してフラップの折り曲げが阻害されるのを解消することができる。
【００４０】
図１で示すブランク状態の包装箱１０の各構成要素を折り畳み、図２で示すように、前板１ａ、後板２ａ、側板３ａ，４ａを四角筒状に組み付け、同時に四つの底フラップ１ｃ、２ｃ、３ｃ、４ｃを相互に組み付けて底面（ワンタッチ底）を形成し、上面を構成する一対の内フラップ３ｂ、４ｂと一対の外フラップ１ｂ、２ｂをともに上方に立設させた状態（封緘前の内容物を収容する際の状態）とする。
【００４１】
図２で示す状態において、二つの差込片５ａを介して外フラップ１ｂと二つの内フラップ３ｂ、４ｂが相互に繋がっていることから、これらの立設姿勢の安定性が確保され、少なくともこれら三つのフラップの内側への倒れ込みは解消される。
【００４２】
そして、図示例のように残りの外フラップ２ｂが倒れ込まずに自立している場合には、全てのフラップが内側へ倒れ込まずに自立していることで、包装箱１０内に不図示の内容物（商品等）を収容し易くなる。
【００４３】
なお、仮に残りの外フラップ２ｂが内側に倒れ込んでいる場合でも、この一つの外フラップ２ｂを外側に折り返せば、全てのフラップが内容物の収容に支障とならない。
【００４４】
包装箱１０内に内容物を収容したら、内フラップ３ｂ、４ｂを内側に折り曲げ、外フラップ２ｂ、１ｂを折り曲げて包装箱１０の封緘をおこなう。
【００４５】
この各フラップの折り曲げに当たり、まず、図３で示すように、内フラップ３ｂ、４ｂからそれぞれ差込片５ａを破断する（Ｘ１方向）。
【００４６】
次に、図４で示すように、一対の内フラップ３ｂ、４ｂを内側に折り曲げ、後板２ａに連接する外フラップ２ｂを内側に折り曲げ、最後に、前板１ａに連接する外フラップ１ｂにおいて、二つの差込片５ａを直角に折り曲げた後、外フラップ１ｂを折り曲げる（Ｘ２方向）。
【００４７】
外フラップ１ｂを折り曲げ、各差込片５ａを対応する差込穴６に差し込むことにより、図５で示すように包装箱１０の封緘がおこなわれる。
【００４８】
図５で示す封緘状態において、双方の外フラップ１ｂ、２ｂの先端同士は重ね合わされた状態となっている。
【００４９】
この包装箱１０の上面において、図６で示すように、送り状７の一部が剥がし片５の上に貼着されながら、重ね合わされた双方の外フラップ１ｂ、２ｂに跨るようにして送り状７を貼着する。
【００５０】
すなわち、送り状７は、剥がし片５を具備しない外フラップ２ｂと剥がし片５に跨って貼着され、この送り状７の貼着により、包装箱１０の封緘が完了する。
【００５１】
このように、重ね合わされた双方の外フラップ１ｂ、２ｂに跨るようにして送り状７が貼着されることから、従来のように外フラップ同士を封緘する封緘テープは不要となる。
【００５２】
図６で示す状態で包装箱１０が送り主から受け取り主に送付され、受け取り主は包装箱１０を受領後、その開封をおこなう。
【００５３】
具体的には、図７で示すように、前板１ａを形成する差込片５の剥がし始点片５ａを包装箱１０の内側に押圧して押し込み、空間Ｇを形成して指を差込み、指を持ち上げることで外フラップ１ｂから剥がし片５を剥がし取る。さらに、この剥がし取りの際の勢いで他の外フラップ２ｂに貼着されている送り状７の一部も剥がし取ることにより、図８で示すように剥がし片５の剥がし取りと同時に送り状７の剥がし取りも実行される。
【００５４】
すなわち、従来のように、上面と送り状の間に爪を差し込む動作を繰り返して送り状を徐々に剥がす必要がないことから、送り状の剥がし取りも容易となり、爪を傷付けることもない。
【００５５】
さらに、剥がし片５を剥がし取ることで包装箱１０の開封がおこなえることから、包装箱の開封に際して封緘テープをカッター等で切断する必要がなく、開封の際の安全性も保障される。
【００５６】
以上、本考案の実施の形態を図面を用いて詳述してきたが、具体的な構成はこの実施形態に限定されるものではなく、本考案の要旨を逸脱しない範囲における設計変更等があっても、それらは本考案に含まれるものである。
【符号の説明】
【００５７】
１ａ…前板、１ｂ…外フラップ、１ｃ…底フラップ、２ａ…後板、２ｂ…外フラップ、２ｃ…底フラップ、２ｄ…継代片、３ａ、４ａ…側板、３ｂ、４ｂ…内フラップ、３ｃ、４ｃ…底フラップ、５…剥がし片、５ａ…差込片、５ｂ…剥がし始点片、５ｃ…破断線、６…差込穴、７…送り状、８…留め用破断線、１０…包装箱
【図１】
0003199513.tif 000003
【図２】
0003199513.tif 000004
【図３】
0003199513.tif 000005
【図４】
0003199513.tif 000006
【図５】
0003199513.tif 000007
【図６】
0003199513.tif 000008
【図７】
0003199513.tif 000009
【図８】
0003199513.tif 000010
【図９】
0003199513.tif 000011
【図１０】
0003199513.tif 000012
【図１１】
0003199513.tif 000013